(57)【要約】【課題】フットレストを提供する。【解決手段】フットレスト２は、前後方向に並んだ座席のうち、前方の座席Ｚの背面側に配されるものである。フットレスト２は、足を支持する足支持機構１０と、足支持機構１０の状態を切替える切替機構２０と、足支持機構１０を係止する係止機構３０と、座席Ｚに切替機構２０を取り付ける取付機構４０と、切替機構２０の操作を行なう操作機構５０と、を備える。アーム２２の揺動により、足支持機構１０は、収納状態と、第１使用状態と、位置また姿勢が第１使用状態と異なる第２使用状態の間で、切替え自在となる。【選択図】図１
2015217066.tif 000002
【特許請求の範囲】
【請求項１】
足を支持する足支持機構と、
収納状態と使用状態との間で前記足支持機構の状態を切替える切替機構と、
前記足支持機構を係止する係止機構と、を備え、
前記使用状態には、第１使用状態と、前記第１使用状態に対して前記足支持機構の位置又は姿勢が異なる第２使用状態とが含まれ、
前記係止機構は、
前記第１使用状態の前記足支持機構を係止する第１係止構造と、
前記第２使用状態の前記足支持機構を係止する第２係止構造と、を有する
ことを特徴とするフットレスト。
【請求項２】
前記足支持機構が係止された係止状態と前記係止状態から退避した係止退避状態との間の切り替え操作を行なう操作機構を備え、
前記操作機構は、前記足支持機構の側方に配される
ことを特徴とする請求項１記載のフットレスト。
【請求項３】
乗り合い車両の座席に設けられたことを特徴とする請求項１または２記載のフットレスト。
【発明の詳細な説明】
【技術分野】
【０００１】
本発明はフットレストに関する。
【背景技術】
【０００２】
乗り合い車両（例えば、バスや電車等）や映画館等に設置された座席には、足の疲労を軽減するためのフットレストが備えられる。このようなフットレストは、足を支える足支持機構と、足支持機構が前方の座席の背面に収納された収納状態と、足支持機構が展開された使用状態と、の間で足支持機構を切り替える切替機構と、足支持機構を所定の状態で係止する係止機構とを備える（特許文献１）。
【先行技術文献】
【特許文献】
【０００３】
【特許文献１】実開平４−２０８４５号公報
【発明の概要】
【発明が解決しようとする課題】
【０００４】
しかしながら、足支持機構の最適な位置や向きは、使用者の体格によって異なる。前述のようなフットレストにおける足支持機構の位置等は、収納状態と使用状態との二段階の切替えしかできない。このため、足支持機構の位置等は、使用者の体格に応じて適宜変更出有ることが望ましい。
【０００５】
本発明は、斯かる実情に鑑み、使用者に適した使用状態となるようなフットレストを提供しようとするものである。
【課題を解決するための手段】
【０００６】
本発明のフットレストは、足を支持する足支持機構と、収納状態と使用状態との間で前記足支持機構の状態を切替える切替機構と、前記足支持機構を係止する係止機構と、を備え、前記使用状態には、第１使用状態と、前記第１使用状態に対して前記足支持機構の位置又は姿勢が異なる第２使用状態とが含まれ、前記係止機構は、前記第１使用状態の前記足支持機構を係止する第１係止構造と、前記第２使用状態の前記足支持機構を係止する第２係止構造と、を有することを特徴とする。
【０００７】
前記足支持機構が係止された係止状態と前記係止状態から退避した係止退避状態との間の切り替え操作を行なう操作機構を備え、前記操作機構は、前記足支持機構の側方に配されることが好ましい。また、乗り合い車両の座席に設けられたことが好ましい。
【発明の効果】
【０００８】
本発明によれば、使用者にとって最適なフットレストの使用状態を作り出すことができる。
【図面の簡単な説明】
【０００９】
【図１】収納状態のフットレストの概要を示す側面図である。
【図２】第１使用状態のフットレストの概要を示す側面図である。
【図３】第２使用状態のフットレストの概要を示す側面図である。
【図４】水平軸周りの揺動が規制されたアームのＡ−Ａ線断面図である。
【図５】水平軸周りの揺動が許容されたアームのＡ−Ａ線断面図である。
【発明を実施するための形態】
【００１０】
以下、添付図面を参照して、本発明の実施の形態を説明する。
【００１１】
図１に示すように、フットレスト２は、前後方向に並んだ座席のうち、前方の座席Ｚの背面側に配されるものである。フットレスト２は、足を支持する足支持機構１０と、足支持機構１０の状態を切替える切替機構２０と、足支持機構１０を係止する係止機構３０と、座席Ｚに切替機構２０を取り付ける取付機構４０と、を備える。
【００１２】
図２〜３に示すように、足支持機構１０は、板状に形成されるものであり、使用状態（後述する）において上向きとなる面には、足が載置される足載置エリア１１が設定される。
【００１３】
切替機構２０は、足載置エリア１１が座席Ｚの背面に隠れた収納状態（図１参照）と、足載置エリア１１が外部に現れた使用状態（図２〜３参照）との間で、足支持機構１０を切り替え可能にするものである。
【００１４】
次に、切替機構２０の詳細を説明する。切替機構２０は、座席Ｚの背面側に配された水平軸２１と、水平軸２１に取り付けられたアーム２２と、アーム付勢部材（図示しない）と、を有する。アーム２２の基端側には、挿入孔が形成される。この挿入孔に水平軸２１を挿入することにより、アーム２２の先端側は、水平軸２１を中心にして揺動自在となる。一方、アーム２２の先端側には、足支持機構１０が取り付けられる。このため、アーム２２の揺動により、足支持機構１０は、収納状態（図１参照）と、第１使用状態（図２参照）と、位置また姿勢が第１使用状態と異なる第２使用状態（図３参照）の間で、切替え自在となる。また、アーム付勢部材は、足支持機構１０が収納状態（図１参照）となるように、アーム２２を付勢する。
【００１５】
図４〜５に示すように、係止機構３０は、アーム２２に形成されたロック孔３１，３２と、ロック孔３１，３２に挿入可能なロックバー３５と、座席Ｚに取り付けられロックバー３５を移動自在に保持するバー保持部材３６と、を有する。ロックバー３５は、バー保持部材３６によって、ロック孔３１，３２に挿入された挿入状態（図４参照）と挿入状態から退避した挿入退避状態（図５参照）との間で、切替え自在となる。
【００１６】
さらに係止機構３０は、ロック孔３１，３２が形成されたアーム２２に向けてロックバー３５を付勢するバー付勢部材３８と、バー付勢部材３８を収容するケース３９と、を有することが好ましい。ロックバー３５の一方側は、ケース３９を貫通するように配される。バー付勢部材３８は、ケース３９に内蔵され、一端がロックバー３５と連結し、他端は、ケース３９と連結するものであり、ロックバー３５を挿入状態（図４参照）へ付勢する。ケース３９に設けられたロックバー３５用の貫通孔３９Ｘは、挿入状態（図４参照）と挿入退避状態（図５参照）との間で、ロックバー３５の移動が可能となるような形状となっている。
【００１７】
取付機構４０は、座席Ｚに設けられ、回転自在となるように水平軸２１を保持する。取付機構４０により、フットレスト２は座席Ｚに取り付けられる。
【００１８】
フットレスト２は、さらに、切替機構２０の操作を行なう操作機構５０を備える。操作機構５０は、ロックバー３５の他方側に設けられる。操作機構５０は、足載置エリア１１の側方に位置することが好ましい。
【００１９】
次に、フットレスト２の使用方法について説明する。
【００２０】
足支持機構１０は、足載置エリア１１が座席Ｚの背面に隠れた収納状態（図１参照）となっている。後方の座先（図示しない）に座った人、すなわち、フットレスト２の使用者は、前方の座席Ｚに設けられた操作機構５０の操作により、収納状態（図１参照）から第１使用状態（図２参照）に向けて、足支持機構１０を移動することができる。そして、足支持機構１０が第１使用状態となると、ロック孔３１にロックバー３５が挿入される（図４参照）ため、足支持機構１０は第１使用状態のまま水平軸２１周りの揺動が規制される。
【００２１】
第１使用状態において、足支持機構１０の位置や向きが、使用者にとって最適なもので無い場合には、使用者は、操作機構５０を操作する。操作機構５０の操作により、ロックバー３５がロック孔３１から抜ける（図５参照）ため、水平軸２１周りの揺動が許容され、結果として、第２使用状態（図３参照）に向けて足支持機構１０を移動させることができる。ここで、足支持機構１０が第２使用状態となると、ロック孔３２にロックバー３５が挿入されるため、足支持機構１０は第２使用状態のまま水平軸２１周りの揺動が規制される。
【００２２】
また、フットレスト２の使用が終わった場合には、使用者は、操作機構５０を操作して、ロックバー３５がロック孔３１から抜く。これにより、水平軸２１周りの揺動が許容される。さらに、足支持機構１０から足を外すと、アーム付勢部材によって、足支持機構１０は収納状態（図１参照）へ移動する。
【００２３】
このように、フットレスト２は、ロックバー３５が挿入可能なロック孔３１、３２がアーム２２に形成されるため、使用者にとって最適な使用状態をつくりだすことができる。
これにより、使用者は、自身の足を足載置エリア１１に載せることで、足の疲労を取ることができる。さらに、操作機構５０は、足載置エリア１１の側方に位置するため、座席に座った状態のまま、一方の足で足支持機構１０の抑え操作を行なうともに、もう一方の足で操作機構５０の操作を行なうことが可能となる。したがって、前後に並ぶ座席の間のスペースが限られた場合であっても、使用者にとって最適な使用状態を容易につくりだすことができる。
【００２４】
フットレスト２は、バスや電車等の乗り合い車両や、映画館等に設置された座席に設けることが好ましい。
【００２５】
尚、本発明は、上記した実施の形態に限定されるものではなく、本発明の要旨を逸脱しない範囲内において種々変更を加え得ることは勿論である。
【符号の説明】
【００２６】
２    フットレスト
１０    足支持機構
２０    切替機構
２１    水平軸
２２    アーム
３０    係止機構
３１，３２    ロック孔
３５    ロックバー
４０    取付機構
５０    操作機構
【図１】
2015217066.tif 000003
【図２】
2015217066.tif 000004
【図３】
2015217066.tif 000005
【図４】
2015217066.tif 000006
【図５】
2015217066.tif 000007